(57)【特許請求の範囲】
【請求項１】
構造物の開口部を開閉する引戸上部に固定された引戸固定体と、この引戸固定体に対して上下動可能に取り付けられるとともに前記構造物に設けられた上レールに沿って前記引戸をガイドするランナ体とを備えた引戸の上部ガイド装置において、
前記引戸固定体およびランナ体のいずれか一方に設けられ前記引戸の上縁に対して傾斜して延びる傾斜孔と、前記引戸固定体およびランナ体のいずれか他方に設けられ、前記傾斜孔の幅と同幅の寸法を有し、かつ当該傾斜孔に沿って相対的に案内されることにより前記引戸固定体とランナ体とを相対的に上下動させるガイド部とを備え、
前記傾斜孔は前記引戸の上縁に対して５度から２５度の範囲で傾斜し、
前記ランナ体は、本体部と、この本体部に取り付けられ前記上レールに沿って走行するガイドローラとを備え、
前記ガイドローラの頂部は、本体部の頂部に対して高く設定され、
前記本体部は、ベースボディ部と、このベースボディ部から上方に突出し、頂部がベースボディ部と前記ガイドローラの各頂部の間に位置するとともに硬質合成樹脂から構成される跳上抑制突起部とを備え、
前記ガイドローラは、弾性体から構成され、前記引戸の跳ね上げに対して弾性変形して前記跳上抑制突起部とともに前記上レールの天壁内面に当接することを特徴とする引戸の上部ガイド装置。
【請求項２】
構造物の開口部を開閉する引戸上部に固定された引戸固定体と、この引戸固定体に対して上下動可能に取り付けられるとともに前記構造物に設けられた上レールに沿って前記引戸をガイドするランナ体とを備えた引戸の上部ガイド装置において、
前記引戸固定体およびランナ体のいずれか一方に設けられ前記引戸の上縁に対して傾斜して延びる傾斜孔と、前記引戸固定体およびランナ体のいずれか他方に設けられ、前記傾斜孔の幅と同幅の寸法を有し、かつ当該傾斜孔に沿って相対的に案内されることにより前記引戸固定体とランナ体とを相対的に上下動させるガイド部とを備え、
前記傾斜孔は前記引戸の上縁に対して５度から２５度の範囲で傾斜し、
前記引戸固定体およびランナ体のいずれか一方には、前記傾斜孔に沿った第１傾斜当接面を有し、前記引戸固定体およびランナ体のいずれか他方には、前記第１傾斜当接面に当接する第２傾斜当接面を有することを特徴とする引戸の上部ガイド装置。
【請求項３】
前記ランナ体は、本体部と、この本体部に取り付けられ前記上レールに沿って走行するガイドローラとを備え、前記ガイドローラの頂部は、本体部の頂部に対して高く設定されていることを特徴とする請求項２記載の引戸の上部ガイド装置。
【請求項４】
前記ランナ体の本体部は、ベースボディ部と、このベースボディ部から上方に突出し、頂部がベースボディ部と前記ガイドローラの各頂部の間に位置するとともに硬質合成樹脂から構成される跳上抑制突起部とを備え、
前記ガイドローラは、弾性体から構成され、前記引戸の跳ね上げに対して弾性変形して前記跳上抑制突起部とともに前記上レールの天壁内面に当接することを特徴とする請求項３記載の引戸の上部ガイド装置。
【発明の詳細な説明】
【技術分野】
【０００１】
本発明は、構造物の開口部を開閉する引戸の上部を、前記開口部の上縁における構造物に取り付けられた上レールに沿って案内する上部ガイド装置に関するものである。
【背景技術】
【０００２】
従来、構造物の開口部を開閉する引戸について、戸枠上部の上レールに引戸を吊り下げる上吊り式引戸（吊下式引戸）と、戸枠下部の下レール上を走行させる下支え式の引戸（非吊下式引戸）とがある。これらの引戸について、上吊り式引戸はもちろんのこと、下支え式引戸についても、戸枠上部の上レールに引戸上部を案内させる上部ランナ装置が設けられることがある（例えば特許文献１、特許文献２参照）。
【先行技術文献】
【特許文献】
【０００３】
【特許文献１】特開平１０−３１１１７６号公報
【特許文献２】特開２００６−１９４０２６号公報
【発明の概要】
【発明が解決しようとする課題】
【０００４】
これらの引戸のうち、上吊り式引戸の上部ランナ装置には、引戸の傾きを調整して締め残しを回避する等のため、吊り下げ高さを調節する高さ調節機構が設けられているものがある（例えば特許文献１参照）。この高さ調節機構には、比較的多数の部品が備えられ、これらの各種部品間には少しずつではあるものの、遊びが存し、これらの遊びが合わさって、上下方向のガタツキが大きくなる場合がある。これらのガタツキは、引戸の跳ね上げの原因、具体的には騒音等の原因ともなることから抑制されることが望まれている一方、高さ調節機構の動作も担保する必要がある。
【０００５】
一方、下支え式の引戸については、上レールの取付高さに、引戸の開閉方向について不均一があっても引戸を円滑に走行させ得るアジャスタ機能を有しているものがある（例えば特許文献２参照）。具体的には、上部ランナ部材は、引戸の上框部に取り付けられるケース部と、このケース部内に上方に突出した状態で収容されるアジャスタ部とを備え、アジャスタ部はケース部に対して上下垂直方向に昇降可能にケース部に収納され、その上部に走行輪が取り付けられており、引戸の開閉操作にあたって上レールの取付高さに不均一があってもケース部に対してアジャスタ部が昇降することによりこの不均一を吸収するものとなされている（以下、この上レールの取付高さに起因する不均一を吸収する機能を単に「アジャスタ機能」という）。
【０００６】
しかしながら、このアジャスタ機能付き上部ランナ装置も、前記のように、ケース部に対して上下垂直方向に昇降するアジャスタ部により上レールの取付高さの不均一さを吸収可能に構成されているものの、引戸に衝撃力が作用した場合に、各種遊びに加え、このアジャスタ機能があるがゆえに、引戸が上方に跳ね上がる跳ね上げ現象を助長することがあり、この跳ね上げが騒音の原因になるだけでなく、下戸車の脱輪を招くこともあり、アジャスタ機能を担保しつつ、跳ね上げを抑制することが求められている。
【０００７】
本発明は、上記従来の問題点に鑑みてなされたものであり、高さ調節機能やアジャスタ機能など高さ方向の調節に関する上部ランナ装置の各種機能を担保しつつ、引戸の跳ね上げを抑制することができる引戸の上部ランナ装置を提供することを目的としている。
【課題を解決するための手段】
【０００８】
上記課題を解決するために、この発明に係る引戸の上部ガイド装置は、構造物の開口部を開閉する引戸上部に固定された引戸固定体と、この引戸固定体に対して上下動可能に取り付けられるとともに前記構造物に設けられた上レールに沿って前記引戸をガイドするランナ体とを備えた引戸の上部ガイド装置において、前記引戸固定体およびランナ体のいずれか一方に設けられ前記引戸の上縁に対して傾斜して延びる傾斜孔と、前記引戸固定体およびランナ体のいずれか他方に設けられ、前記傾斜孔の幅と同幅の寸法を有し、かつ当該傾斜孔に沿って相対的に案内されることにより前記引戸固定体とランナ体とを相対的に上下動させるガイド部とを備え、前記傾斜孔は前記引戸の上縁に対して５度から２５度の範囲で傾斜していることを特徴とするものである。ここで、前記ガイド部について、「前記傾斜孔の幅と同幅の寸法を有し」とは、前記傾斜孔と同幅に構成されている場合の他、略同幅に構成されているものも含まれる概念である。この場合、前記ガイド部は、前記傾斜孔の幅よりも若干小さく設定することにより、傾斜孔に沿って円滑に移動させることができる。
【０００９】
この発明によれば、前記引戸固定体およびランナ体のいずれか一方に設けられ前記引戸の上縁に対して傾斜して延びる傾斜孔と、前記引戸固定体およびランナ体のいずれか他方に設けられ、前記傾斜孔の幅と同幅に構成され、かつ当該傾斜孔に沿って相対的に案内されることにより前記引戸固定体とランナ体とを相対的に上下動させるガイド部とを備えるので、高さ調節機能やアジャスタ機能など、引戸固定体とランナ体とを相対的に高さ方向にゆっくりと変位させる場合には、前記傾斜孔に沿って前記ガイド部が相対的に移動することによって、引戸固定体とランナ体とを上下方向に相対的に移動させることができ、これにより高さ方向の調節に関する上部ランナ装置の各種機能を担保することができる。
【００１０】
一方、この引戸の上部ガイド装置では、前記ガイド部が前記傾斜孔の幅と同幅に構成されており、しかも前記傾斜孔は前記引戸の上縁に対して５度から２５度の範囲で傾斜しているので、引戸の跳ね上げなどの衝撃力に対しては、傾斜孔の内周面とガイド部の外周面との摩擦抵抗力によって、前記傾斜孔と前記ガイド部とが相対的に変位せず、ないしは両者の相対的な変位が抑制され、その場ないしは付近で衝撃力に対する反力が作用することになるので、引戸固定体とランナ体とが相対的に殆ど上下動せず、引戸の跳ね上げを効果的に抑制することができる。
【００１１】
前記ランナ体の具体的構成を特に限定するものではなく、本体部とこの本体部に取り付けられ上レールに沿って摺動するガイドブロック等のガイド摺動部とを備えるものであっても良いが、前記ランナ体は、本体部と、この本体部に取り付けられ前記上レールに沿って走行するガイドローラとを備えるのが好ましく、この場合、本体部とガイドローラとの各頂部の高さ関係について、前記ガイドローラの頂部は、本体部の頂部に対して高く設定されているのが好ましい。
【００１２】
このように構成すれば、引戸固定体とランナ体との相対的な上下位置を近接方向に移動させる際、引戸の開閉操作に伴って、上レールの天壁内面に対し本体部に先立ってガイドローラを当接させることができる。この当接により、ランナ体に対して円滑に下方向への力（収縮力）を作用させることができる。このため、高さ調節機能やアジャスタ機能など、引戸固定体とランナ体との相対的に高さ方向に離間した後、引戸を開閉操作するだけで両者間を近接方向に移動させることができ、しかもガイドローラの作用により引戸の開閉操作を円滑に行うことができる。
【００１３】
この場合、前記ランナ体の本体部の具体的構成についても特に限定するものではないが、ベースボディ部と、このベースボディ部から上方に突出し、頂部がベースボディ部と前記ガイドローラの各頂部の間に位置するとともに硬質合成樹脂から構成される跳上抑制突起部とを備えるのが好ましい。また、ガイドローラの具体的構成についても特に限定するものではなく、その素材も金属や木材など公知の材料から構成されるものであって良いが、前記跳上抑制突起部を備える場合には、前記ガイドローラは、弾性体から構成され、前記引戸の跳ね上げに対して弾性変形して前記跳上抑制突起部とともに前記上レールの天壁内面に当接するように構成されるのが好ましい。
【００１４】
このように構成すれば、引戸の跳ね上げに伴って上方への衝撃力が上部ガイド装置に作用した場合に、ガイドローラが弾性変形して跳上抑制突起部とともに上レールの天壁内面に当接することにより引戸の跳ね上げをより効果的に抑制することができる。
【００１５】
また、この発明において、前記引戸固定体およびランナ体のいずれか一方には、前記傾斜孔に沿った第１傾斜当接面を有し、前記引戸固定体およびランナ体のいずれか他方には、前記第１傾斜当接面に当接する第２傾斜当接面を有するのが好ましい。なお、この第２傾斜当接面は、第１傾斜当接面に対し、常時および全体が当接している必要はなく、少なくとも引戸の跳ね上げ時に互いに一部でも当接するものであれば良い。
【００１６】
このように構成すれば、高さ調節機能やアジャスタ機能など、引戸固定体とランナ体とが相対的に高さ方向にゆっくり変位させる場合には、傾斜孔（具体的にはその周縁部）とガイド部との係合に加え、これら第１および第２傾斜当接面の当接によっても、両者の相対的な昇降がガイドされる。しかも、引戸の跳ね上げなど、上方に衝撃力が作用した場合には、傾斜孔（具体的にはその周縁部）とガイド部との係合に加え、これら第１および第２傾斜当接面が当接して相互に面接触することにより、左右方向の変位が抑制され、その場ないしはその付近で衝撃力に対する反力を作用させることができ、引戸固定体とランナ体との相対的な上下動をより効果的に抑制して、引戸の跳ね上げをより効果的に抑制することができる。
【発明の効果】
【００１７】
本発明に係る引戸の上部ガイド装置によれば、引戸固定体とランナ体とを相対的に高さ方向にゆっくりと変位させる場合には、傾斜孔に沿ってガイド部を相対的に移動させることができ、これによって高さ方向の調節に関する上部ランナ装置の各種機能を担保することができ、一方引戸の跳ね上げなどの衝撃力に対しては、傾斜孔とガイド部とが相対的に変位せず、ないしは殆ど変位せず、その場ないしは付近で衝撃力に対する反力が作用することになるので、引戸固定体とランナ体とが相対的に殆ど上下動せず、引戸の跳ね上げを効果的に抑制することができる。
【図面の簡単な説明】
【００１８】
【図１】本発明の一実施形態に係る上部ガイド装置が適用される引戸の概略を示した斜視図である。
【図２】上部ガイド装置を拡大して示す斜視図である。
【図３】上部ガイド装置の正面図である。
【図４】上部ガイド装置の平面図である。
【図５】上部ガイド装置の側面図である。
【図６】引戸固定体を示す正面図である。
【図７】引戸固定体を示す平面図である。
【図８】ランナ体を示す正面図である。
【図９】ランナ体を示す底面図である。
【図１０】ガイドローラと跳上抑制突起部との関係を模式的に示す説明図である。
【図１１】上部ガイド装置の動作を説明する説明図である。
【図１２】他の実施形態に係る上部ガイド装置が適用される引戸の概略を示した斜視図である。
【発明を実施するための形態】
【００１９】
以下、本発明に係る一実施形態を図面に基づいて説明する。なお、本実施形態の引戸の上部ガイド装置は、上端部がガイドレールに案内される、下戸車付き非吊下式（下支え形式）の引戸について適用したものであるが、戸車なしの非吊下式引戸や、吊下式引戸等、その他の引戸にも適用することができる。また、この上部ガイド装置は、スライドアシスト装置が設けられていない引戸について説明するが、両側、またはどちらか一方の片側にスライドアシスト装置が設けられた引戸についても適用可能であり、さらに引戸と戸枠の衝突を緩和させるために引戸のスライド終期に引戸に制動力を付与する引戸緩衝装置など、他の装置が設けられた引戸にも適用することができる。
【００２０】
図１は、本実施形態の上部ガイド装置が適用された引戸構造の概略を示す斜視図である。なお、以下、便宜上、各図における＋Ｘ方向を右方向、＋Ｙ方向を後方向、＋Ｚ方向を上方向として説明するが、これらの方向の表現については特に限定されるものではなく、単に本実施形態における相対的な位置関係を表したものである。
【００２１】
まず、本実施形態の上部ガイド装置１が取り付けられる引戸構造について簡単に説明する。引戸構造は、構造物の開口部Ｗを開閉する引戸Ｄと、構造物の開口部Ｗの周縁部に固定され内側で引戸Ｄがスライド移動する戸枠Ｆとを備える。引戸Ｄは、戸本体Ｄ１と、戸本体Ｄ１の下部に取り付けられた左右一対の下戸車Ｄ２と、戸本体Ｄ１の上部に取り付けられた左右一対の上部ガイド装置１とを備える。なお、この下戸車には高さ調節機構（不図示）が設けられ、例えば経年によって戸枠（特に側部内面）との間に隙間が生じた場合でも戸本体Ｄ１を傾斜させて閉め残しを解消することができるものとなされている。
【００２２】
一方、戸枠Ｆ（構造物に含まれる）は、鴨居Ｆ１と、敷居Ｆ２と、鴨居Ｆ１の下面に設けられ引戸Ｄのスライド方向をガイドする上レールＬ１と、敷居Ｆ２に設けられ引戸Ｄの下戸車Ｄ２が案内される下レールＬ２とを含み、これらの上下レールＬ１，Ｌ２に沿って引戸Ｄが開閉される。すなわち、引戸Ｄは、その上部に配設された上部ガイド装置１が上レールＬ１に挿通されることにより上部が案内されるとともに、その下部の下戸車Ｄ２が下レールＬ２上を走行することにより下部が案内される。
【００２３】
本実施形態の上レールＬ１は、下方に開口するＣ字状、すなわち左右方向に延びる天壁部Ｌ１１と、この天壁部Ｌ１１の前後両端縁から下方に延びる前後両側壁部Ｌ１２と、これらの前後各側壁部Ｌ１２の下端から幅方向内側に延びる前後フランジ部Ｌ１３とを備え、前後フランジ部Ｌ１３の先端同士が離隔配置されることにより下方に開口した状態となっている。なお、この前後フランジ部Ｌ１３の上を後述するガイドローラ３２が転動するものとなされている。
【００２４】
なお、この上レールＬ１は、戸枠Ｆの鴨居Ｆ１の下面に固定されているが、鴨居Ｆ１に埋設されているものであっても良く、また構造物の開口部Ｗの周縁部のうち上縁部に直接固定されるもの、またはこれらに類するものであっても良い。
【００２５】
そして、本実施形態の上部ガイド装置１は、引戸Ｄの戸本体Ｄ１の上部、詳しくは上端部における左右両端部に固定されている。各上部ガイド装置１は、本実施形態では左右方向について、同一の向きに配設されているが、この向きについて特に限定するものではなく、上下垂直線に対して線対称に配置されているものであっても良い。左右の各上部ガイド装置１は、同一の構成を有するので、以下、一方の上部ガイド装置１を中心に説明する。
【００２６】
図２は上部ガイド装置を拡大して示す斜視図である。また、図３から図５は、それぞれ上部ガイド装置の正面図、平面図、側面図である。図６及び図７は、引戸固定体を示す正面図及び平面図である。図８及び図９は、ランナ体を示す正面図及び底面図である。
【００２７】
この上部ガイド装置１は、戸本体Ｄ１の上部に固定された引戸固定体２と、この引戸固定体２に対して上下動可能に取り付けられるとともに上レールＬ１に沿って引戸Ｄをガイドするランナ体３とを備える。この上部ガイド装置１は、上下方向の成分を有する力がゆっくりと作用する場合には、引戸固定体２とランナ体３とが相対的に上下高さ方向にゆっくりと変位可能に構成されるとともに、上下方向の成分を有する力が急激に作用する場合には、両者２，３が相対的に変位せず、ないしは殆ど変位しないように構成されている。
【００２８】
具体的には、引戸固定体２は、引戸Ｄの頂部に埋設されるベースブロック２１と、このベースブロック２１から上方に突出する連結ブロック２２と、この連結ブロック２２の他端部（詳細には図６における左端部）に設けられた柱状ブロック２３とを備え、これらが複数の部品から分割構成されている。なお、この引戸固定体２は、詳細は省略するが、前後調節ネジ２５（図１、図２参照）を左右に回動させることによりベースブロック２１に対する連結ブロック２２の前後位置を微調整し得るように構成されている。この引戸固定体２は、ランナ体３を戸本体Ｄ１に固定するためのものであり、連結ブロック２２を介してランナ体３を上下動（昇降）可能に連結するものとなされている。
【００２９】
ベースブロック２１は、上方に開口して連結ブロック２２の下端部が収容される収容室２１ａ（図６参照）を有するブロック状体であり、このブロック状体を戸本体Ｄ１の上端部における左右両縁部に設けられ上方及び側方に開口する収納溝（図示省略）に収納した状態で、このブロックを左右方向に貫通するネジ（図示省略）によって戸本体Ｄ１に固定されている。
【００３０】
連結ブロック２２は、ベースブロック２１とランナ体３とを連結するブロック体である。より具体的には、連結ブロック２２は、台形板状の連結本体２２１と、この連結本体２２１の下側一端部（図例では右端部）に配設されるとともにこの連結本体２２１に対して前後に突出する前後一対の補助ガイド部２２２とを備え、連結本体２２１の左端下部に連設された差込片（不図示）がベースブロック２１の収容室２１ａ内に収容された状態で前後水平軸２６によってベースブロック２１に軸支されている。
【００３１】
連結本体２２１は、ベースブロック２１よりも左右に長く寸法設定され、図６に示すように、ベースブロック２１の左端部から当該ベースブロック２１の右端部よりも大きく右側に突出した状態で配置されている。この連結本体２２１には、正面視における左端部から右端部にかけて、戸本体Ｄ１の上縁、すなわち本実施形態では左右方向に対して上下方向に傾斜する傾斜ガイド孔２２３（傾斜孔に対応）が板厚方向（前後方向）に貫設されている。この傾斜ガイド孔２２３の戸本体Ｄ１の上縁（本実施形態では水平方向に一致する）に対する傾斜角度は、具体的には５°から２５°の範囲内で設定されている。すなわち、この傾斜角度が５°よりも小さくなると、引戸固定体２とランナ体３のいずれかに、上下方向の成分を有する力がゆっくりと作用した場合でも、引戸固定体２とランナ体３とが相対的に変位し難くなる。また、この傾斜角度が２５°よりも大きくなると、引戸固定体２とランナ体３のいずれかに、上下方向の成分を有する力が急激に作用した場合でも、引戸固定体２とランナ体３とが相対的に変位し易くなり、衝撃力に対して変位し難いという上部ガイド装置本来の機能が低下する。なお、本実施形態では、傾斜ガイド孔２２３は、引戸上縁（左右水平方向）に対して１５°の角度になるように設定されている。
【００３２】
この傾斜ガイド孔２２３は、細長い長円形状を呈し、後述するガイドボス部３７の外径と一致する幅（中心線と直交する方向）に設定されている。また、この傾斜ガイド孔２２３の内周面は、前後方向の軸に平行な面から構成され、ガイドボス部３７との間で所定の摩擦力が生じるように構成されている。また、この傾斜ガイド孔２２３の上下方向の高さ寸法は、上レールＬ１の取付高さの想定される不均一性を吸収可能な範囲以上に設定され、具体的には３ｍｍから１５ｍｍの範囲で設定されている。
【００３３】
また、この連結本体２２１の上面は、上下方向に法線を有する非当接面２２１ａと、傾斜ガイド孔２２３の傾斜角度と一致する傾斜を有する上側傾斜ガイド面２２１ｂ（第１当接面に対応）とを有し、引戸固定体２に対し上方向の衝撃力が作用した場合にこの上側傾斜ガイド面２２１ｂがランナ体３の後述する移動許容溝３８の傾斜内側面３８ａに当接するものとなされ、この当接に伴って摩擦力が生じるものとなされている。
【００３４】
なお、本実施形態の連結本体２２１は、上下方向に法線を有する平面状の非当接面２２１ａを備えているが、この非当接面２２１ａは平面に限定されるものではなく、ランナ体３と干渉しなければ、曲面、球面、波面等公知の面形状を有していても良く、また適宜省略して連結本体２２１の上面が上側傾斜ガイド面だけで構成されるものであっても良い。
【００３５】
補助ガイド部２２２は、前述したように、連結本体２２１の下側右端部にそれぞれ前後に突設されている。この補助ガイド部２２２は、正面視略直角三角形状を呈し、下端縁と一側端縁（図例では右側端縁）がそれぞれ連結本体２２１の下端縁と一側端縁と一致した状態でこの連結本体２２１と一体形成されている。補助ガイド部２２２の上面は、連結本体２２１の上側傾斜ガイド面２２１ｂと同様、傾斜ガイド孔２２３の傾斜角度と一致する傾斜を有する下側傾斜ガイド面２２２ａとして構成されている。この下側傾斜ガイド面２２２ａも、上側傾斜ガイド面２２１ｂと同様に、引戸固定体２に対し上方向の衝撃力が作用した場合に、この下側傾斜ガイド面２２２ａがランナ体３の後述するランナ側傾斜ガイド面３４ｂに当接するものとなされ、この当接に伴う摩擦力が生じるものとなされている。
【００３６】
この下側傾斜ガイド面２２２ａの幅は、引戸固定体２とランナ体３との間の摺動性を担保しつつ、適切な摩擦力を発生させる観点から、連結本体２２１の板厚に対して０．３倍から１．０倍の範囲内で設定するのが好ましく、０．５倍から０．７倍の範囲内で設定するのがさらに好ましい。
【００３７】
柱状ブロック２３は、引戸Ｄが戸枠Ｆ内で傾くなどした場合に、戸枠Ｆに直接的ないしは間接的に当接してその傾きを是正するためのものであり、略柱状体（本実施形態では略角柱状体）として構成されている。この柱状ブロック２３は、本実施形態では、連結ブロック２２と一体形成された柱本体２３ａと、少なくともこの柱本体２３ａの引戸Ｄの近接端部側の側部（図例では左端部）を覆う緩衝化粧材２３ｂとを備える。この緩衝化粧材２３ｂは、柱本体２３ａよりも軟質な材料で構成され、柱状ブロック２３が戸枠Ｆに当接する場合の衝撃音の発生を抑制するものとなされている。
【００３８】
次に、ランナ体３について説明する。図８及び図９は、ランナ体を示す正面図及び底面図である。
【００３９】
ランナ体３は、上レールＬ１上を左右に走行して引戸Ｄをガイドするものであり、本実施形態では、図８に示すように、正面視台形状を呈する。具体的には、ランナ体３は、左右方向に細長いランナ本体部３１（本体部に対応）と、このランナ本体部３１の左右両端部に前後一対ずつ取り付けられたガイドローラ３２とを備え、ランナ本体部３１が引戸固定体２の連結ブロック２２に上下動可能に連結されることにより引戸固定体２に取り付けられている。
【００４０】
ランナ本体部３１は、左右方向に延設された移動許容溝３８を有するベースボディ部３４と、このベースボディ部３４の一端部（図例では右端部）に配置され一対のガイドローラ３２が取り付けられるローラ取付部３５と、ベースボディ部３４の他端寄り（図例では左端寄り）の位置において上方に突出する跳上抑制突起部３６と、ベースボディ部３４の他端下部（図例では左端下部）に移動許容溝３８を横切るように設けられたガイドボス部３７とを備え、ベースボディ部３４、ローラ取付部３５と跳上抑制突起部３６とが硬質合成樹脂（例えばポリアミド樹脂、ポリエチレン樹脂、プロプロピレン樹脂など公知の合成樹脂）から一体形成されている。
【００４１】
ベースボディ部３４は、正面視において、上底に対して下底が短く設定された左右に細長い略台形状を呈する。このベースボディ部３４は、厚み方向中央部において、左右方向一端縁から他端縁にかけて下方に開口する移動許容溝３８が設けられるとともにこの移動許容溝３８の一端部（図例では右端部）に連通する上方開口部３９が設けられ、これらの移動許容溝３８及び上方開口部３９に引戸固定体２の連結本体２２１が摺動可能に嵌合されるように構成されている。
【００４２】
この移動許容溝３８は、その深さが右側に向かうに従って上方に傾斜するように設定され、その傾斜角度は、連結本体２２１の傾斜ガイド孔２２３と一致するように設定されている。従って、この移動許容溝３８の傾斜内側面３８ａ（移動許容溝３８の奥底面）の傾斜角度もこの傾斜ガイド孔２２３と一致する。この傾斜内側面３８ａは、上述のように、少なくとも引戸固定体２に対し上方向の衝撃力が作用した場合に連結本体２２１の上側傾斜ガイド面２２１ｂに当接するものとなされている。また、この移動許容溝３８の一端部は、上述のように上方開口部３９に連通し、この上方開口部から連結本体２２１の非当接面２２１ａが上方に突出可能に構成されている。
【００４３】
また、ベースボディ部３４の下面は、上下方向に法線を有する非当接面３４ａと、この非当接面３４ａに連続するとともに傾斜ガイド孔２２３の傾斜角度と一致する傾斜を有するランナ側傾斜ガイド面３４ｂ（第２当接面に対応）とを移動許容溝３８を挟んで前後にそれぞれ有し、引戸固定体２に対し上方向の衝撃力が作用した場合にこのランナ側傾斜ガイド面３４ｂが補助ガイド部２２２の下側傾斜ガイド面２２２ａに当接するものとなされている。なお、このベースボディ部３４の非当接面３４ａも、連結本体２２１の非当接面２２１ａと同様に、適宜省略することができ、またその具体的形状についても特に限定するものではない。
【００４４】
さらに、ベースボディ部３４の他端下部（図例では左端下部）には、ガイドボス部３７が嵌入されるボス孔（図示省略）が設けられ、このボス孔は移動許容溝３８に連通するものとなされている。また、ベースボディ部３４におけるボス孔の上方には、一対のガイドローラ３２の車軸が挿入される軸孔（不図示）も設けられている。
【００４５】
ローラ取付部３５は、ベースボディ部３４の一端部（右端部）に配置され、一方側の一対のガイドローラ３２が取り付けられるとともに移動許容溝３８内を移動する連結本体２２１のストッパとしての役割も果たす。なお、このローラ取付部３５については、適宜省略することができ、その場合にはこの一方側の一対のガイドローラ３２はベースボディ部３４に取り付けられる。
【００４６】
一方、跳上抑制突起部３６は、ベースボディ部３４の上端部における他端側寄り（図例では左側寄り）において、前後方向に突出するとともに上方に突出した状態で、前後一対設けられている。各跳上抑制突起部３６は、略直方体状に構成され、図５に示すように、頂面３６ａが左右方向に中心線を有する曲面として構成されている。この頂面３６ａのうち、上下方向について最も高い位置が頂部３６ｂであり、図１０に示すように、この頂部３６ｂがベースボディ部３４やローラ取付部３５よりも高く設定され、ガイドローラ３２の後述する頂部３２ｂよりも微小差ｈだけ低く設定されている。すなわち、跳上抑制突起部３６の頂部３６ｂは、ベースボディ部３４やローラ取付部３５の各頂部と、ガイドローラ３２の頂部３２ｂとの間に位置している。具体的には、跳上抑制突起部３６の頂部３６ｂとガイドローラ３２の頂部３２ｂとの微小差ｈ（図１０参照）は、ガイドローラ３２の外径の０．５％から５％の範囲内でガイドローラ３２の頂部３２ｂよりも低く設定されるのが好ましい。
【００４７】
なお、頂面３６ａは、曲面に限らず、平面等の他の形状であっても良いが、本実施形態のように左右方向に中心線を有する曲面として構成された場合には引戸が傾いた状態で跳ね上がった場合でも、跳上抑制突起部３６の損傷を抑制するものとなされている。
【００４８】
この跳上抑制突起部３６の厚み（前後方向）、長さ（左右方向）の寸法はガイドローラ３２の厚み及び外径等を考慮して適宜設定される。跳上抑制突起部３６の厚みは、ガイドローラ３２の厚みの０．５倍から２．０倍の範囲内で設定されるのが好ましく、その長さはガイドローラ３２の外径の０．３倍から１．５倍の範囲内で設定されるのが好ましい。
【００４９】
ガイドボス部３７（ガイド部に対応）は、傾斜ガイド孔２２３に挿入され、引戸固定体２に対するランナ体３の上下動作をガイドするためのものであり、前後方向に延びる柱状体として構成されている。特に、本実施形態では、円柱状体として構成され、ランナ体３のベースボディ部３４、具体的にはベースボディ部３４の左端下部に設けられたボス孔にかしめ状態で取り付けられている。ガイドボス部３７は、中心線（前後方向）に沿って寸胴状に構成され、外周面が傾斜ガイド孔２２３の内周面に均一に当接するようになされている。
【００５０】
また、このガイドボス部３７の外径（ガイド部の幅に対応）は、上述したように、傾斜ガイド孔２２３の幅と同一ないしは若干小さく設定され、上下方向の遊びが小さくなるように構成されている。これにより、ガイドボス部３７と傾斜ガイド孔２２３との遊びに基づく、引戸Ｄの跳ね上げを可及的に抑制することができる。
【００５１】
なお、このガイドボス部が本実施形態のような円柱状ではなく、角柱状体等で構成されるものであっても良く、この場合には、傾斜ガイド孔２２３の中心線に直行する幅方向の寸法が当該傾斜ガイド孔２２３の幅寸法と同一ないしは若干小さくなるように設定される。
【００５２】
一方、ガイドローラ３２は、基本的に、引戸Ｄの開閉操作に伴って上レールＬ１の前後フランジ部Ｌ１３上を転動するものであり、引戸Ｄの跳上時や引戸固定体２に対してランナ体３が上昇した場合には、上レールＬ１の天壁部Ｌ１１に当接してランナ体３に対して下方向の力を作用させることができる。また、このガイドローラ３２は、引戸Ｄの跳ね上げ時には弾性変形して跳上抑制突起部３６とともに上レールＬ１の天壁部Ｌ１１内面に当接するものとして構成され、また引戸Ｄの開閉操作時に引戸固定体２に対してランナ体３が上昇している場合には上レールＬ１の天壁部Ｌ１１内面に当接転動して、引戸Ｄの走行抵抗を抑制しながら、ランナ体３に対して下方向の力を作用させることができる。
【００５３】
具体的には、ガイドローラ３２は、ランナ本体部３１の左右両端部、具体的にはベースボディ部３４の他端上部（図例では左端上部）及びベースボディ部３４の一端側に設けられたローラ取付部３５のそれぞれに車軸３２ａを介して前後一対ずつ取り付けられている。このガイドローラ３２の外径は、跳上抑制突起部３６に干渉しない範囲で設定され、少なくとも外周縁のうち、上下高さ方向について最も高い頂部３２ｂがベースボディ部３４やローラ取付部３５、並びに跳上抑制突起部３６よりも高くなるように設定されている。
【００５４】
また、このガイドローラ３２は、弾性体、例えばベースボディ部３４よりも軟質の合成樹脂（例えばエラストマーなど）から構成され、弾性変形可能に構成されている。具体的には、このガイドローラ３２のデュロ硬度（ゴム用のＡ型デュロメータによる硬度）は、３０から９０の範囲内で設定されるのが好ましく、５０から７０の範囲内で設定されるのがさらに好ましい。なお、このガイドローラ３２は、ローラ部分が弾性体により一体形成されるものであっても良いが、タイヤ部分とホイール部分とが分割して構成されているものであってもよい。この場合、少なくともタイヤ部分が弾性体から構成されている。
【００５５】
このようなランナ体３は、次のようにして引戸固定体２に組み付ける。
【００５６】
すなわち、ランナ体３のランナ側傾斜ガイド面３４ｂの傾斜角度と、引戸固定体２の下側傾斜ガイド面２２２ａの傾斜角度とを一致させた状態で、ランナ体３の移動許容溝３８に引戸固定体２の連結本体２２１を差し込む。そして、この連結本体２２１の傾斜ガイド孔２２３をランナ体３のガイドボス部３７が挿入されるボス孔（不図示）に位置合わせする。
【００５７】
この位置合わせ状態において、ランナ体３のボス孔（不図示）にガイドボス部３７を挿入し、ガイドボス部３７の前後両側からかしめてガイドボス部３７をベースボディ部３４に固定する。
【００５８】
これにより、ランナ体３は引戸固定体２に取り付けられる。この状態では、ランナ体３のランナ側傾斜ガイド面３４ｂ及び移動許容溝３８の傾斜内側面３８ａは、それぞれ引戸固定体２の下側傾斜ガイド面２２２ａ及び上側傾斜ガイド面２２１ｂに当接ないしは略当接した状態となっており、少なくとも引戸固定体２とランナ体３とが近接する方向に外力が作用した場合にはそれぞれ当接した状態となる。すなわち、本実施形態では、連結本体２２１の上側傾斜ガイド面２２１ｂと補助ガイド部２２２の下側傾斜ガイド面２２２ａとが、本発明にいう「第１傾斜当接面」（第２傾斜当接面）に対応し、ランナ体３において、これらのガイド面２２１ｂ、２２１ａに当接する傾斜内側面３８ａ、ランナ側傾斜ガイド面３４ｂが本発明にいう「第２傾斜ガイド面」（第１傾斜当接面）に対応する。言い換えれば、本実施形態の上部ガイド装置１では、引戸固定体２及びランナ体３のそれぞれに各傾斜当接面が複数存し、これにより上下方向の衝撃力が両者２，３に作用した場合に、各傾斜当接面同士が当接して、十分な摩擦力が作用するものとなされている。
【００５９】
そして、このように組み付けられた上部ガイド装置１を引戸Ｄの戸本体Ｄ１に固定することにより、当該上部ガイド装置１を設置することができる。
【００６０】
以上のように構成された上部ガイド装置１の作用について、図１、図１０及び図１１を用いて説明する。図１１は上レールを断面状態で示す上部ガイド装置を示す正面図である。図１０における二点鎖線は、上レールの天壁部に当接することにより弾性変形したガイドローラの輪郭を示している。
【００６１】
図１に示す引戸Ｄを開閉方向にスライド操作させると、引戸Ｄの下戸車Ｄ２が下レールＬ２上を走行するとともに、引戸Ｄの上部ガイド装置１のガイドローラ３２が上レールＬ１内、具体的には前後フランジ部Ｌ１３上を転動し、これにより引戸Ｄの上下両側を上下各レールＬ１、Ｌ２によってガイドされる。
【００６２】
ところで、構造物の開口部Ｗは、その高さが左右方向で一定ではなく、僅かであるものの、左右方向に高さが異なり、一般的には太鼓状、すなわち左右方向中央部が左右両端部に比べて高くなることが多い。このような開口部Ｗに上レールＬ１が取り付けられると、この上レールＬ１の取付高さが左右方向に不均一になって引戸の走行抵抗になることがある。
【００６３】
しかしながら、本実施形態の上部ガイド装置１は、ランナ体３が引戸固定体２に対して上下動可能に取り付けられているので、この上レールＬ１の取付高さの不均一性に対して引戸固定体２に対するランナ体３の相対的な高さを変更することができ（アジャスタ機能）、このアジャスタ機能に基づき引戸Ｄを円滑に開閉操作することができる。
【００６４】
具体的には、引戸Ｄの開閉操作に伴い、ランナ体３のガイドローラ３２が上レールＬ１の前後フランジ部Ｌ１３上を走行する。上レールＬ１の取付高さが高くなれば、図１１に示すように、前後フランジ部Ｌ１３によってガイドローラ３２を介してランナ体３に上方への外力がゆっくりと作用する。ランナ体３に上方への外力が作用すると、ランナ体３がそのガイドボス部３７によって、引戸固定体２の傾斜ガイド孔２２３に沿って上方に相対的に変位し、前記取付高さの不均一性を吸収することができる。
【００６５】
逆に上レールＬ１の取付高さが低くなれば、ランナ体３の重力によってランナ体３が引戸固定体２側に変位する（すなわちランナ体３が自然と変位する）場合もあるが、この重力によって変位しない、ないしは不十分な場合にはランナ体３が上レールＬ１に対して相対的に上昇する。このとき、ランナ体３のガイドローラ３２の頂部３２ｂがランナ本体部３１の頂部（本実施形態では跳上抑制突起部３６の頂部３６ｂ）よりも高く設定されているので、ランナ体３のガイドローラ３２の頂部３２ｂが上レールＬ１の天壁部Ｌ１１内面にまず当接し、ランナ体３に下方への外力がゆっくりと作用する。このように、ランナ体３において、ガイドローラ３２の頂部３２ｂがまず天壁部Ｌ１１に当接するので、ランナ体３が天壁部Ｌ１１に摺接することによる走行抵抗を低減することができ、引戸Ｄを円滑に操作することができる。
【００６６】
ランナ体３に下方への外力が作用すると、ランナ体３の上昇時と同様に、ランナ体３がそのガイドボス部３７によって、引戸固定体２の傾斜ガイド孔２２３に沿って下方に相対的に変位し、前記取付高さの不均一性を吸収することができる。
【００６７】
一方、引戸Ｄを勢い良く開操作または閉操作した場合等に、引戸Ｄが戸枠Ｆに勢いよく衝突することがあり、この衝突時に引戸Ｄが跳ね上がることがある。この引戸Ｄの跳ね上げ時でも、本実施形態の上部ガイド装置１が備えられた引戸Ｄにおいては、効果的にその跳ね上げを抑制することができる。
【００６８】
具体的には、引戸Ｄが跳ね上がった場合には、上部ガイド装置１も上昇してランナ体３、具体的にはガイドローラ３２の頂部３２ｂが上レールＬ１の天壁部Ｌ１１内面に勢いよく衝突する。この衝突に伴いランナ体３に衝撃力が作用すると、左右、前後の各ガイドローラ３２が弾性体から構成されているので、図１０の二点鎖線で示すように、各ガイドローラ３２は弾性変形して跳上抑制突起部３６とともに上レールＬ１の天壁部Ｌ１１内面に当接する。同時に、引戸固定体２の上下両側の傾斜ガイド面２２１ｂ、２２２ａが、ランナ体３の傾斜内側面３８ａ、ランナ側傾斜ガイド面３４ｂのそれぞれに当接してこの当接面に摩擦力が発生する。しかも、ランナ体３のガイドボス部３７の外径が引戸固定体２の傾斜ガイド孔２２３の幅と同寸法になるように設定されているとともに、傾斜ガイド孔２２３引戸Ｄの上縁に対して１５度の傾斜角度を有しているので、ガイドボス部３７が傾斜ガイド孔２２３の中で飛び上がることなく、両者間で摩擦力が発生する。
【００６９】
これらの摩擦力により、傾斜ガイド孔２２３とガイドボス部３７とが相対的に変位せず、ないしは殆ど変位せず、その場ないしはその付近で、衝撃力に対する上レールＬ１による反力が作用することになるので、引戸固定体２とランナ体３とが相対的に殆ど上下動することなく、引戸Ｄの跳ね上げを効果的に抑制することができる。
【００７０】
なお、以上に説明した引戸の上部ガイド装置１は、本発明の一実施形態であり、その具体的構成等については本発明の趣旨を逸脱しない範囲で適宜変更可能である。以下、その変形例を説明する。
【００７１】
（１）前記実施形態では、上部ガイド装置１を非吊下式の引戸であって、スライドアシスト装置が設けられていない引戸について適用したものであるが、吊下式の引戸にも適用することができ、また両側、またはどちらか一方の片側にスライドアシスト装置が設けられた引戸についても適用可能である。
【００７２】
図１２は、上部ガイド装置が適用される、吊下式引戸であって、右側にスライドアシスト装置が設けられた引戸の概略を示した斜視図である。
【００７３】
この他の実施形態に係る引戸ｄは、左右の吊下用上部ガイド装置１０４、１０５の間に、さらに跳上抑制のための上部ガイド装置１００が設けられている。
【００７４】
この上部ガイド装置１００は、引戸ｄの上部所定箇所に埋設され、この埋設状態において上方または側方から引戸ｄに固定されている。この上部ガイド装置１００の具体的構成については、前記固定構造を除いて、前記実施形態と同様であるので、ここではその詳細な説明を省略し、以下前記実施形態における参照符号を適宜用いる。
【００７５】
また、吊下用上部ガイド装置１０４、１０５も、公知の構造であるため、その詳細な説明を省略するが、各吊下用上部ガイド装置１０４，１０５は、引戸固定体とランナ体との相対的な高さ方向の距離を調整する高さ調節機構（不図示）が装備されており、前後方向を軸とする引戸ｄの傾きを調整可能に構成されている。また、これらの吊下用上部ガイド装置１０４，１０５のうち、右側に配設された吊下用上部ガイド装置１０５にスライドアシスト装置１０６が取り付けられている。このスライドアシスト装置１０６について、以下、簡単に説明する。
【００７６】
このスライドアシスト装置１０６は、吊下用上部ガイド装置１０５に連結される枠体１１０と、この枠体１１０内に一端がフリー状態で収容される弾性部材１１１（本実施形態では前後一対）と、この弾性部材１１１のフリー端部に取り付けられたスライド部材１１２と、このスライド部材１１２の少なくとも所定方向の移動に対して緩衝効果を付与するダンパー部材１１３と、上レールＬに固定された受け部材１１５とを備え、引戸ｄの一方向へ（図例では右方向）のスライド時にスライド部材１１２と受け部材１１５とが係合して弾性部材１１１を伸長させることによりスライド部材１１２に当該弾性部材１１１の付勢力を蓄積させ、このスライド部材１１２が所定の保持位置に到達したときにスライド部材１１２と受け部材１１５との係合が解除されてスライド部材１１２が当該保持位置に保持され、反対方向（図例では左方向）のスライド時にスライド部材１１２と受け部材１１５とが係合することにより弾性部材１１１の付勢力が解放されるとともにダンパー部材１１３の緩衝効果による制動力が付与されつつ前記付勢力がスライド部材１１２を通じてスライドアシスト力として引戸ｄに付与するものである。
【００７７】
このような吊下式引戸ｄに装備された上部ガイド装置１００も、前記実施形態に係る上部ガイド装置１と同様に、引戸固定体２とランナ体３とを相対的に高さ方向にゆっくりと変位させる場合には、傾斜ガイド孔２２３に沿ってガイドボス部３７を相対的に移動させることができ、これによって上部ガイド装置１００の高さ調節機構による高さ変更に柔軟に追随することができ、一方、衝撃に基づく引戸ｄの跳ね上げなどの衝撃力に対して、傾斜ガイド孔２２３とガイドボス部３７とが相対的に変位せず、ないしは殆ど変位せず、その場ないしは付近で衝撃力に対する反力が作用することになるので、引戸固定体２とランナ体３とが相対的に殆ど上下動せず、引戸ｄの跳ね上げを効果的に抑制することができる。
【００７８】
具体的には、吊下用上部ガイド装置１０４、１０５の高さ調節機構を操作した場合に、引戸ｄと上レールＬとの相対的な高さが変化する。この場合に、上部ガイド装置の引戸固定体とランナ体との相対的な高さが変化しなければ、このランナ体が上レールＬに干渉して引戸の走行抵抗になることがある。
【００７９】
しかしながら、この実施形態の上部ガイド装置１００は、ランナ体３が引戸固定体２に対して上下動可能に取り付けられているので、この高さ調節機構に高さ変化を吸収することができるとともに、引戸ｄに対する取り付け誤差をも吸収することができ、引戸ｄを円滑に開閉操作することができる。
【００８０】
また、引戸ｄの開閉操作に伴って引戸固定体２とランナ体３との相対的高さを自動調節できる点、及び引戸ｄの跳上を効果的に抑制することができる点については、前記実施形態と同様である。
【００８１】
（２）前記実施形態では、引戸固定体２に傾斜ガイド孔２２３が設けられ、ランナ体３にガイドボス部３７が設けられた上部ガイド装置１について説明したが、傾斜ガイド孔などの傾斜孔がランナ体に設けられ、かつガイドボス部などのガイド部が引戸固定体に設けられるものであっても良い。
【００８２】
（３）前記実施形態では、左右一対の上部ガイド装置１が引戸Ｄの戸本体Ｄ１の上部に同じ向きで配設されたものについて説明しているが、左右一対の上部ガイド装置１について互いに逆向きに配設されているものであっても良く、さらにその向きについてもランナ体３が引戸固定体２に対して上昇するに従って、引戸Ｄの左右方向外側に向け変位するような向きだけでなく、前記上昇に従って、引戸Ｄの左右方向内側に向かって変位するような向きに配設するものであっても良い。ただし、上部ガイド装置１がランナ体３が引戸固定体２に対して上昇するに従って、引戸Ｄの左右方向外側に向け変位するような向きに配設されれば、跳上抑制突起３６が上部ガイド装置１において、引戸の開閉方向の外側寄りに配設されるため、引戸Ｄの跳上を効果的に抑制することができる。
【００８３】
また、前記実施形態では、左右一対の上部ガイド装置１が設けられているが、片側について省略して通常の上部ガイド装置に変更するものであっても良い。
【００８４】
（４）前記実施形態では、上レールＬ１は、下方に開口するＣ字状に構成されているが、この上レールＬ１の具体的形状はこれに限定されるものではない。例えば、前後フランジ部Ｌ１３は、平板状に構成されているが、下方に突出する円弧状に構成されるものであっても良い。また、上レールＬ１がＣ字状に構成されているが、コ字状、すなわち側方に開口するように構成されているものであっても良い。この場合には、ランナ体のガイドローラは、片輪として構成される。
【符号の説明】
【００８５】
１  上部ガイド装置
２  引戸固定体
２２１ｂ  上側傾斜ガイド面（第１傾斜当接面に対応）
２２２ａ  下側傾斜ガイド面（第１傾斜当接面に対応）
２２３  傾斜ガイド孔（傾斜孔に対応）
３  ランナ体
３１  ランナ本体部
３２  ガイドローラ
３２ｂ  頂部
３４ｂ  ランナ側傾斜ガイド面（第２傾斜当接面に対応）
３６  跳上抑制突起部
３７  ガイドボス部（ガイド部に対応）
３８ａ  傾斜内側面（第２傾斜当接面に対応）
【図１】
0006710541.tif 000002
【図２】
0006710541.tif 000003
【図３】
0006710541.tif 000004
【図４】
0006710541.tif 000005
【図５】
0006710541.tif 000006
【図６】
0006710541.tif 000007
【図７】
0006710541.tif 000008
【図８】
0006710541.tif 000009
【図９】
0006710541.tif 000010
【図１０】
0006710541.tif 000011
【図１１】
0006710541.tif 000012
【図１２】
0006710541.tif 000013